(57)【特許請求の範囲】
【請求項１】
装置本体に電子メールを送受信する機能を備え、音声／非電話モード、パケット通信モード、前記音声／非電話モード及び前記パケット通信モードの両方に遷移自在である同時待ち受けモードの３つのモードを有する携帯電子メール電話機であって、
カーソルを発生するカーソル発生手段と、
当該カーソルが表示される表示手段と、
前記表示手段内のカーソルを操作でき、使用者が装置本体を保持した際に、指で操作可能な領域に配置された少なくとも１つのカーソル操作手段と、
前記カーソル操作手段の操作に基づいて前記表示手段内のカーソルを移動する制御手段と、
前記装置本体に開閉自在に接続されたフタ体であって、このフタ体の開位置では、前記表示手段の全部を露出し、前記フタ体の閉位置では前記表示手段の一部を表示しうる窓を有することを特徴とするフタ部と、
前記フタ体が閉じているときは前記音声モード画面並びに同時待ち受けモード画面が前記窓から視認できるよう前記表示手段を制御し、前記フタ体の開操作に応じて電子メール機能の起動、並びに、前記パケット通信モード又は前記音声／非電話モードの非電話モードへの遷移および各遷移に対応する前記表示手段全体の表示画面を制御する手段と、
を具備することを特徴とする携帯電子メール電話機。
【請求項２】
電子メール送信先からの電子メール到着の通知がされた際に、
当該通知と同時に又は通知の後に、当該電子メール送信先に自動接続し、送信された電子メールの自動受信を行い、自動受信終了後に前記電子メール送信先と自動切断する手段と、
当該電子メールを自動受信した旨を使用者に通知する手段と、
を更に備えることを特徴とする請求項１に記載の携帯電子メール電話機。
【請求項３】
前記カーソル操作手段の操作に基づいて前記移動したカーソル上の情報を確定する手段を更に備えることを特徴とする請求項１に記載の携帯電子メール電話機。
【請求項４】
前記カーソル操作手段は回動機構、かつ、押下機構の２つの機構を有するように構成されることを特徴とする請求項１に記載の携帯電子メール電話機。
【請求項５】
前記同時待ち受けモード時又は音声／非電話モード時において、
前記電子メール到着の通知がされた際に、前記フタ体の開閉動作に応じて、当該電子メール送信先に自動接続し、送信された電子メールの自動受信を行い、自動受信終了後に前記電子メール送信先と自動切断する手段を更に備えることを特徴とする請求項１に記載の携帯電子メール電話機。
【請求項６】
前記装置本体は、装置本体に特定の機能を付加するためのソフトウェアが格納された着脱自在なメモリを更に備えることを特徴とする請求項１に記載の携帯電子メール電話機。
【請求項７】
前記装置本体は、話者の音声を記録する音声録音用の着脱自在なメモリを更に備えることを特徴とする請求項１に記載の携帯電子メール電話機。
【請求項８】
前記装置本体は、赤外線を使用してデータの送受信を行う赤外線通信手段を更に備えることを特徴とする請求項１に記載の携帯電子メール電話機。
【請求項９】
装置本体に電子メールを送受信する機能を備え、音声／非電話モード、パケット通信モード、パケット待ち受けモード、前記音声／非電話モード及び前記パケット通信モードの両方に遷移自在である同時待ち受けモードの４つのモードを有する携帯電子メール電話機であって、
少なくとも１つの選択操作手段と、
選択に供せられる情報を表示するための表示手段と、
前記選択操作手段を操作することにより前記選択に供せられる情報を前記表示手段に表示させる制御手段と、
前記表示手段に表示された情報から所望の情報を選択的に入力するための選択情報入力手段と、
前記装置本体に開閉自在に接続されたフタ体であって、このフタ体の開位置では、前記表示手段の全部を露出し、前記フタ体の閉位置では前記表示手段の一部を表示しうる窓を有することを特徴とするフタ部と、
前記フタ体が閉じているときは前記音声モード画面並びに同時待ち受けモード画面が前記窓から視認できるよう前記表示手段を制御し、前記フタ体の開操作に応じて電子メール機能の起動、並びに、前記パケット通信モード又は前記音声／非電話モードの非電話モードへの遷移および各遷移に対応する前記表示手段全体の表示画面を制御する手段と、
を具備することを特徴とする携帯電子メール電話機。
【請求項１０】
電子メール送信先からの電子メール到着通知がされた際に、
当該通知と同時に又は通知の後に、当該電子メール送信先に自動接続し送信された電子メールの自動受信を行い、自動受信終了後に前記電子メール送信先と自動切断する手段と、
当該電子メールを自動受信した旨を使用者に通知する手段と、
を更に備えることを特徴とする請求項９に記載の携帯電子メール電話機。
【請求項１１】
前記情報又はこれらの組み合わせである情報列を検索キーとして変換候補情報を記憶する辞書メモリと、
前記選択操作手段により選択された情報又は情報列に基づいて、前記辞書メモリを参照して選択された情報又は情報列を変換候補情報に変換する変換手段と、
を更に備えることを特徴とする請求項９に記載の携帯電子メール電話機。
【請求項１２】
前記選択操作手段の操作に基づいて前記変換手段を起動し、その操作量に対応する変換候補情報を選択する手段を更に備えることを特徴とする請求項１１に記載の携帯電子メール電話機。
【請求項１３】
前記選択操作手段は回動機構、かつ、押下機構の２つの機構を有するように構成されることを特徴とする請求項９に記載の携帯電子メール電話機。
【請求項１４】
前記同時待ち受けモード時又は音声／非電話モード時において、
前記電子メール到着の通知がされた際に、前記フタ体の開閉に応じて、当該電子メール送信先に自動接続し、送信された電子メールの自動受信を行い、自動受信終了後に前記電子メール送信先と自動切断する手段を更に備えることを特徴とする請求項９に記載の携帯電子メール電話機。
【請求項１５】
前記装置本体は、装置本体に特定の機能を付加するためのソフトウェアが格納された着脱自在なメモリを更に備えることを特徴とする請求項９に記載の携帯電子メール電話機。
【請求項１６】
前記装置本体は、話者の音声を記録する音声録音用の着脱自在なメモリを更に備えることを特徴とする請求項９に記載の携帯電子メール電話機。
【請求項１７】
前記装置本体は、赤外線を使用してデータの送受信を行う赤外線通信手段を更に備えることを特徴とする請求項９に記載の携帯電子メール電話機。
【発明の詳細な説明】
【０００１】
【発明の属する技術分野】
本発明は、表示画面を利用して電子メールの送受信可能な携帯電子メール電話機に関する。
【０００２】
【従来の技術】
従来から、携帯電話と携帯情報端末との一体型として各種の提案があり、携帯電話としての機能を重視すると、小さく軽い、手に馴染むフォルムとデザインが求められる。一方、携帯情報端末としての機能を重視すると、キーピッチ（キーとキーとの間隔）の広いフルキーボードと、大画面ディスプレイが好ましい。
【０００３】
図１４（ａ）に示す携帯電話と携帯情報端末との一体型は、携帯電話として使用する時は、電話番号や通話時間、料金等を表示する通常の小型窓のディスプレイ画面であるが、携帯情報端末として電子メールを送受信する時は、キートップを覆うフタ体（以下、「フリッパ」という。）を開け、横長の大ディスプレイの画面を使用する。
【０００４】
また、図１４（ｂ）に示す携帯電話と携帯情報端末との一体型は、液晶画面を２枚用いることによりディスプレイとタッチパネル方式のキートップを大きく取り、電子メールを読むときは、この大型液晶画面を使う。
【０００５】
【発明が解決しようとする課題】
図１４（ａ）に示す携帯電話と携帯情報端末との一体型の大ディスプレイの画面は、表示画面とキートップを同一ディスプレイ上に配置するので液晶画面は１枚でよい。しかしながら、狭いディスプレイ画面に、キートップを細かな文字で表示せざるを得ず、さらに、メッセージを入力するときは入力メッセージとキートップとを両方表示しなければならず、ますますキートップの表示面積及び表示するキートップ間隔が狭くなり、ブラインドタッチはほとんど不可能である。
【０００６】
また、図１４（ｂ）に示す携帯電話と携帯情報端末との一体型は、液晶画面を２枚用いディスプレイ画面と切り離してタッチパネル方式のキートップを設け、ディスプレイとキートップを並べている。しかしながら、これについてもブラインドタッチは無理でありペン入力が必要となる。
【０００７】
このように携帯電話機能と携帯情報端末機能とを合わせ持つ一体型では、文字の入力を行う場合には画面上のタッチパネルを使うか電話用のキートップを使うしかないので不自由で中途半端なキー入力をせざるを得ず大変操作性の悪いモノしかなかった。さらに、携帯電話の形状にいわゆる電子手帳機能を無理矢理付加したものが多く、操作性に無理が生じていた。
【０００８】
そこで、本願発明は外観は普通の携帯電話とほとんど変わらず、音声での通話ができ、さらに、片手で容易にカーソル操作や、データ入力が可能であり、しかも、操作性が良い携帯電子メール電話機を提供する。
【０００９】
【課題を解決するための手段】
上記課題を解決するための本発明の携帯電子メール電話機は、装置本体に電子メールを送受信する機能を備え、音声／非電話モード、パケット通信モード、前記音声／非電話モード及び前記パケット通信モードの両方に遷移自在である同時待ち受けモードの３つのモードを有する携帯電子メール電話機であって、カーソルを発生するカーソル発生手段と、当該カーソルが表示される表示手段と、前記表示手段内のカーソルを操作でき、使用者が装置本体を保持した際に、指で操作可能な領域に配置された少なくとも１つのカーソル操作手段と、前記カーソル操作手段の操作に基づいて前記表示手段内のカーソルを移動する制御手段と、前記装置本体に開閉自在に接続されたフタ体であって、このフタ体の開位置では、前記表示手段の全部を露出し、前記フタ体の閉位置では前記表示手段の一部を表示しうる窓を有することを特徴とするフタ部と、前記フタ体が閉じているときは前記音声モード画面並びに同時待ち受けモード画面が前記窓から視認できるよう前記表示手段を制御し、前記フタ体の開操作に応じて電子メール機能の起動、並びに、前記パケット通信モード又は前記音声／非電話モードの非電話モードへの遷移および各遷移に対応する前記表示手段全体の表示画面を制御する手段と、を具備することを特徴とするものである。
【００１０】
したがって、片手で装置本体を保持すれば、その指の届く範囲に全てのカーソル操作手段が存在するので、片手で全てのカーソル操作手段を操作でき、この操作に基づいて表示手段内のカーソルを移動する。
【００１１】
また、装置本体に電子メールを送受信する機能を備え、音声／非電話モード、パケット通信モード、パケット待ち受けモード、前記音声／非電話モード及び前記パケット通信モードの両方に遷移自在である同時待ち受けモードの４つのモードを有する携帯電子メール電話機であって、少なくとも１つの選択操作手段と、選択に供せられる情報を表示するための表示手段と、前記選択操作手段を操作することにより前記選択に供せられる情報を前記表示手段に表示させる制御手段と、前記表示手段に表示された情報から所望の情報を選択的に入力するための選択情報入力手段と、前記装置本体に開閉自在に接続されたフタ体であって、このフタ体の開位置では、前記表示手段の全部を露出し、前記フタ体の閉位置では前記表示手段の一部を表示しうる窓を有することを特徴とするフタ部と、前記フタ体が閉じているときは前記音声モード画面並びに同時待ち受けモード画面が前記窓から視認できるよう前記表示手段を制御し、前記フタ体の開操作に応じて電子メール機能の起動、並びに、前記パケット通信モード又は前記音声／非電話モードの非電話モードへの遷移および各遷移に対応する前記表示手段全体の表示画面を制御する手段と、を具備することを特徴とするものである。
【００１２】
したがって、片手で装置本体を保持すれば、その指の届く範囲に全ての選択操作手段が存在するので、片手で全ての選択操作手段を操作でき、この操作に基づいて前記メモリ上の全ての情報から所望の情報を選択する。
【００１３】
【発明の実施の形態】
以下、本発明の実施形態例を図面を用いて説明する。図１乃至図３は、本実施形態例の携帯電子メール電話機の外観を示す図であり、図１，図２は非電話モード時又はパケットモード時の外観、図３は音声モード時の外観を示す図である。
【００１４】
図１乃至図３が示すように本実施形態例の携帯電子メール電話機は、装置本体１００と、この装置本体１００に開閉自在に接続されているフリッパ２等から構成されている。装置本体１００は、回動で情報を選択しクリックにより情報を確定する装置（以下、「ジョグダイヤル」という。）１ａ，１ｂ、表示部３、フラッシュメモリ４、バッテリ５、ＩｒＤＡｉ／ｆ（図示せず）等から構成されており、装置本体１００は、図１の仮想線が示すように、使用者は、例えば左手２００で保持することが可能である。
【００１５】
また、本実施形態例の携帯電子メール電話機は、音声／非電話モード、パケット通信モード、パケットモード、及び、同時待ち受けモードの４つのモードを有している。音声／非電話モードの音声モードでは、音声及びみなし音声での通信を行い、音声／非電話モードの非電話モードでは、例えば回線制御の９６００ｂｐｓの速度で、データ、ＦＡＸ通信を行う。又、パケット通信モードにおいては例えばパケット制御の最大２８．８ｋｂｐｓの速度で、インターネット接続等を行う。同時待ち受けモードにおいては、音声等の着信があれば音声／非電話モードに遷移し、パケット着信があればパケット通信モードに遷移する。
【００１６】
図１の仮想線が示すように、ジョグダイヤル１ａは親指２０１で操作できる位置に、ジョグダイヤル１ｂは人差し指２０２で操作できる位置に配置されており、且つ、例えば図４に示すように  ジョグダイヤル１ａおよびジョグダイヤル１ｂ（以下、「ジョグダイヤル１」という。）は、回転軸Ｏを中心とする円筒方向（矢印Ａ及びＢ）に回転する円板状の部材８（ロータリエンコーダを構成する）と、半径方向（矢印Ｃ及びＤ）にスライドし得るスライド板（図示せず）及びスライドスイッチ９とによって、構成される。
【００１７】
スライドスイッチ９は、スライド板と共に、Ｃ方向に付勢されている。回転軸Ｏは、スライド板に対して固定されており、ジョグダイヤル１が矢印Ｄ方向に押された場合には、ロータリエンコーダ８がスライド板と一体にスライドされて、スライドスイッチ９を押し下げ、オン状態に制御される。このスライドスイッチ９のオン信号、または、オフ信号を検出することによって、ジョグダイヤル１がクリックされたか否かが検出される。
【００１８】
ロータリエンコーダ８は、図５に示すように２枚の円板８ａ，８ｂにより構成されており、スライド板と一体にスライドされる。この円板８ａは円板８ｂの上面に積層された可動部材であり、スライド板に固定された円板８ｂに対して相対的に回動し得るように取り付けられる。回動する円板８ａには、１組の対向電極１０ａが設けられている。この対向電極１０ａは、組み立てたとき、円板８ｂの円周に沿って設けられた例えば２０組の対向電極１０ｂと接触し得るようになされている。また、対向電極１０ｂは内周側と外周側とで位置が、わずかづつずれて形成されている。この対向電極１０ａと対向電極１０ｂとの接触抵抗は、回動する円板２ａの回転に応じて変化する。これにより、円板１０ａの回転角に応じた出力を得ることができる。
【００１９】
図６（ａ），（ｂ）は、ロータリエンコーダ８からの出力波形を示す信号波形図である。図６（ａ），（ｂ）に示すように、ジョグダイヤル１をＡの方向に回すと対向電極から出力される電位は、図６（ａ）に示すように内周側の電位が先に接地電位に立ち下がるのに対し、Ｂの方向に回すと図６（ｂ）に外周側の電位が先に接地電位に立ち下がる。これにより、内周側の電位と外周側の電位のいずれかが先に立ち下がるかを検出することによりジョグダイヤル１の回動方向を検出することができるようになされている。また、ジョグダイヤル１の回転量は、例えば外周側の電極から出力されるパルスの数をカウントすることにより検出することができる。
【００２０】
上記説明したジョグダイヤル１ａ，１ｂには、２つの機能がある。図７（ａ），（ｂ）を用いてこの２つの機能を説明する。１つ目の機能は文字等の入力及びかな漢字変換の機能である。ジョグダイヤル１ａは回動することによって前記ロータリエンコーダ８からの出力パルスにより、図７（ａ）の５０音テーブルの横方向のかな文字を選択し、クリックすることによって前記スライドスイッチ９のオン信号またはオフ信号により決定したかな文字列または変換した漢字を確定する。ジョグダイヤル１ｂは、回動することによって前記ロータリエンコーダ８からの出力パルスにより、図７（ａ）の５０音テーブルの縦方向のかな文字を選択し、クリックすることによって前記スライドスイッチ９のオン信号またはオフ信号により、かな漢字変換候補を前記表示部３に次々と表示させる。また、ジョグダイヤル１ａ，１ｂを同時に回動させると、図７（ａ）の５０音テーブルのナナメ方向の文字を選択することもできる。
【００２１】
２つ目の機能はマウス機能である。図７（ｂ）は、２つのジョグダイヤル１ａ，１ｂそれぞれのロータリエンコーダ８の移動方向、移動量とからカーソルを移動させる様子を示している。２つのジョグダイヤル１ａ，１ｂは、それぞれＸ方向、Ｙ方向のフォワード、リバース、アップ、ダウンを実行し、同時に動かせばナナメ移動がダイレクトにできる。ジョグダイヤル１ａ，１ｂのクリックは、それぞれマウスの左ボタン，右ボタンに相当する。
【００２２】
フリッパ２は、図１又は図２が示すように、前記装置本体１００に開閉自在に取り付けら、フリッパ２の開位置では、前記表示部３の全部を露出し、フリッパ２の閉位置では前記表示部３の一部を覆う。又、図３が示すように、フリッパ２の前面にはキーパッド７が備えられている。このキーパッド７により音声モードの時には電話番号を入力する。また、受話部近傍側には、図１又は図２が示すように、小窓２ａが設けられている。この小窓２ａは音声モード時に日時や電話番号等を表示する。また、フリッパ２の開閉により電子メールアプリケーションプログラムの起動を制御する。又、音声モードの時にはフリッパ２は閉じているので、表示部３の破損防止の役目を果たす。
【００２３】
表示部３は、装置本体１００の前面に備えられた液晶画面であり、装置本体１００と略同じ大きさである。通常の携帯電話として使用するときは、前記フリッパ２に覆われていて、前記小窓２ａから電波の受信状況，日時，電話番号等を縦に表示する。フリッパ２を開けた場合は横長の液晶大画面を表示する。
【００２４】
フラッシュメモリ４は、図３が示すように、装置本体１００に着脱自在に取り付けられており、アプリケーションプログラムを格納している。一つのフラッシュメモリ４には一つ以上のアプリケーションプログラムがインプリメントされているので、ユーザは自分が普段使い慣れている電子メールアプリケーション用フラッシュメモリ４や電子手帳機能を提供するフラッシュメモリ４を購入し、装置本体１００に嵌め込むことでユーザの好みの機能を付加したり、電子手帳が持つ各種機能を実行させることもできる。また、アプリケーションソフトのバージョンアップもタイムリーに行うことができる。
【００２５】
また、パソコン通信を行う時は、パソコン通信用フラッシュメモリ４を使用する。初めて使用するときは、いわゆる「通信設定」画面にて、希望のアプリケーションを設定するだけで後のモデムの設定等は、全てデフォルトで設定済みとなっているので簡単にパソコン通信が行える。
【００２６】
また、音声の録音を長時間行いたい時は、大容量の留守録用フラッシュメモリ４を使って大容量留守録ができる。即ち、携帯電話の留守録機能を使って、ボイスメールのように使うこともできる。また、メールやデータを多く保存したいユーザは、大容量のフラッシュメモリ４を使用すれば良いし、このフラッシュメモリ４の容量が一杯になるか、あるいは、パソコン等にデータを移動させたいときは、ＩｒＤＡ（Ｉｎｆｒａｒｅｄ  Ｄａｔａ  Ａｓｓｏｃｉａｔｉｏｎ）ｉ／ｆによりデータを転送することもできる。なお、装置本体１００には、電源が入ったときに、このアプリケーション用フラッシュメモリ４を認識，動作するプラグ＆プレイを備えている。
【００２７】
バッテリ５は、例えば装置本体１００の背面に備えられており、装置本体１００に電源を供給する。
【００２８】
次に、図８を用いて本実施形態例の携帯電子メール電話機の文字入力およびカーソル移動を制御する回路ブロック図を説明する。図８が示すように、文字入力およびカーソル移動を制御する回路は、２つのジョグダイヤル１ａ，１ｂ、表示部３、制御部６、メモリ７、図示しない入力バッファおよびプログラムメモリ等より構成されている。
【００２９】
メモリ７は、固定メモリ７ａ，漢字辞書７ｂ等から構成されている。固定メモリ７ａは、複数のかな文字を記憶しており、例えば図７（ａ）の概念図が示すような５０音テーブルが格納されている。
【００３０】
漢字辞書７ｂは、例えば読み出し専用メモリからなり、前記固定メモリ７ａから選択されるかな文字列に対応する漢字等を記憶したテーブルが格納されている。入力バッファは、前記固定メモリ７ａから選択されたかな文字を一時的に蓄えておく。プログラムメモリには、前記入力バッファの内容に応じて前記漢字辞書７ｂを検索して、入力された「かな文字列」を「漢字等」に変換する手段等が格納されている。
【００３１】
制御部６には、２つのジョグダイヤル１ａ，１ｂ、表示部３と、メモリ７と、入力バッファ、プログラムメモリ等が接続されており、ジョグダイヤル１ａ，１ｂのそれぞれのロータリエンコーダ８、および、スライドスイッチ９の出力が供給され、この出力に基づいて各種制御を行う。
【００３２】
図９は、本実施形態例の携帯電子メール電話機の概略回路ブロック図である。ＪＯＧ１ａ，ＪＯＧ１ｂは、いずれもＣＰＵ  ＡＳＩＣ６にＫｅｙｐａｄ１１と同様にデータ入力し、ソフトウェアによりアップ、ダウン及びフォワード、リバースが判断されアドレスカウンタ値が変化することにより、「かな文字」の特定ができる。ＪＯＧ１ａ，ＪＯＧ１ｂのスライドスイッチはキーの一つとして、同様にＣＰＵ  ＡＳＩＣ６に認識されるので、状況に応じ「シフト」「漢字変換」「確定」の機能を実行する。
【００３３】
本実施形態例の携帯電子メール電話機は、音声及びパケット通信を、制御用物理チャネルで同時待ち受けを行っている。音声発着信又はパケット通信呼び出しにより、音声モード（通信用物理チャネル）あるいはパケット通信モード（パケット通信用物理チャネル）に遷移する。パケット通信モードに遷移した場合には、Ｄｉｇｉｔａｌ  ＡＳＩＣ１２及びＳｙｓｔｅｍ  ＭＥＭＯＲＹ７の中のソフトウェアにて通信プロトコル制御される。
【００３４】
Ｒｅｍｏｖａｂｌｅ  Ｆｌａｓｈ  Ｍｅｍｏｒｙ４は、アプリケーション機能を付加するための特定のＯＳ（Ｏｐｅｒａｔｉｎｇ  Ｓｙｓｔｅｍ）に準拠したアプリケーションプログラムが入っており、物理的にはＣＰＵ  ＡＳＩＣ６の外部バスに接続され、ＣＰＵ  ＡＳＩＣ６のメインプログラムが、アプリケーション起動した時に、Ｒｅｍｏｖａｂｌｅ  Ｆｌａｓｈ  Ｍｅｍｏｒｙ４を参照する。
【００３５】
次に、携帯電子メール電話機が音声モードに遷移し、音声通話を行う場合を説明する。ＭＩＣ１７から入力された音声信号は、Ａｍｐ１５により増幅される。この増幅された音声信号は、Ｃｏｎｖｅｒｔｅｒ１４に供給され、アナログの音声信号がデジタル化される。このデジタル化された音声信号はＤＳＰ（Ｄｉｇｉｔａｌ  Ｓｉｇｎａｌ  Ｐｒｏｃｅｃｅｒ：デジタル信号処理部）１３に供給される。ＤＳＰ１３は、所定のアルゴリズムで高能率符号化（データ圧縮）し、Ｄｉｇｉｔａｌ  ＡＳＩＣ１２に出力する。Ｄｉｇｉｔａｌ  ＡＳＩＣ１２は、通信プロトコルのレイヤ１のチャネルコーディングやエラー訂正等をハードウェアにて処理し、この信号を再びＣｏｎｖｅｒｔｅｒ１４に戻し、アナログ変換して、ＲＦ  Ｍｏｄｕｌａｔｏｒ２５に出力する。
【００３６】
ＣＰＵ  ＡＳＩＣ６は、通信プロトコルのデータリンクのレイヤ２，無線管理，呼制御，移動管理のレイヤ３等の制御及び各デバイス制御を行う。又、ＣＰＵＡＳＩＣ６には、ＩｒＤＡ変調部とＩｒＤＡ復調部、ＵＡＲＴ等が内蔵されており、ＩｒＤＡトランシーバ１０と接続されている。ＩｒＤＡトランシーバ１０は、赤外発光ダイオードとドライバを内蔵した発光ユニットと、フォトダイオードと検波器を内蔵した受発光ユニットを一体型にした素子であり、ＣＰＵ  ＡＳＩＣ６に入出力し、ノートパソコン等のＩｒＤＡと汎用のアプリケーションソフトを介してデータ通信ができるように、システムソフトが予めインストールしてある。
【００３７】
ＲＦ  Ｍｏｄｕｌａｔｏｒ２５は、前記高能率符号化された音声信号を、ＢＢｉ／ｆ２３の制御信号に基づくＳｙｎｔｈｅｓｉｚｅｒ２２から出力される発振周波数を基に変調する。変調された音声信号はＰｏｗｅｒ  Ａｍｐ１８に供給され、Ｐｏｗｅｒ  Ｃｏｎｔｒｏｌ２４の制御により増幅される。増幅された音声信号は、Ｃｉｒｃｕｌａｔｅｒ１９ｃを介してＲｘ／Ｔｘ１９ｂアンテナから送信される。なお、Ｃｉｒｃｕｌａｔｅｒ１９ｃは、送信信号がＲｘ／Ｔｘ１９ｂアンテナのルートのみにいくように制御し、受信側のルートへいかないように調整するためのものである。
【００３８】
また、このデジタル携帯電話は、Ｒｘ１９ａアンテナおよびＲｘ／Ｔｘ１９ｂアンテナでスペースダイバーシチ受信を行っており、とらえた電波のうち強い電波が選択されＦＥ２０に供給される。ＦＥ２０は、供給された電波を増幅しＭＩＸ／ＩＦ２１に供給する。ＭＩＸ／ＩＦ２１は、増幅された信号をＳｙｎｔｈｅｓｉｚｅｒ２２から出力される発振周波数と混合して中間周波数に変換する。中間周波数に変換された信号は、Ｄｉｇｉｔａｌ  ＡＳＩＣ１２，ＤＳＰ１３，Ｃｏｎｖｅｒｔｅｒ１４により処理され、検波、デジタル信号の誤り訂正、音声復号化、デジタル／アナログ変換等が行われ、アナログの音声信号にされる。このアナログにされた音声信号はＡｍｐ／ＰＳ１５により増幅され、Ｓｐｅａｋｅｒ１６から相手方の音声として出力される。
【００３９】
図１０は、本実施形態例の携帯電子メール電話機の概略機能ブロック図である。図１０において、マイク１７から入力された音声信号は、ボイスエンコーダ１３ｂに供給される。ボイスエンコーダ１３ｂは、アナログの音声信号をデジタル化し、このデジタル化された音声信号を伝送路の状態の影響を受けにくいように、所定のアルゴリズムで高能率符号化（データ圧縮）し、チャネルエンコーダ１２ｂに出力する。チャネルエンコーダ１２ｂは、通信プロトコルのレイヤ１のチャネルコーディング等を行い、この信号を変調器２５に出力する。
【００４０】
ＣＰＵ６は、マンマシンインタフェースや通信制御、アプリケーションソフトの実行、各デバイスマネージメント、省電力パワーマネジメント等、システム全般に渡りコントロールする。
【００４１】
変調器２５は、高能率符号化された音声信号を変調する。変調された音声信号は送信部１８に供給される。送信部１８は、変調された音声信号を増幅し、Ｒｘ／Ｔｘ１９ｂアンテナから送信する。
【００４２】
また、本実施形態例の携帯電子メール電話機は、検波後ダイバーシチ受信を行っている。Ｒｘ１９ａアンテナおよびＲｘ／Ｔｘ１９ｂアンテナでとらえた電波は受信部３ａ，検波器３ｂを介して選択部３ｃに供給される。選択部３ｃは、強い電波の方を選択しチャネルデコーダ１２ａに供給する。供給された信号は、チャネルデコーダ１２ａ，ボイスデコーダ１３ａ，ＣＰＵ６により処理され、増幅、中間周波変換、誤り訂正、音声複号化、デジタル／アナログ変換等が行われ、最終的にアナログの音声信号にされる。このアナログにされた音声信号はスピーカ１６から相手方の音声として出力される。
【００４３】
以下、上記構成の携帯電子メール電話機の作用を説明する。
【００４４】
外観，サイズ，重量共に従来の携帯電話とほとんど変わらず、電源がオンされて、フリッパ２を閉じているときは、音声モードであり図３が示すように日時や電話番号等を縦に表示している。音声及びパケット通信制御は、日本であればＳＴＤ−２７のスタンダードに従う。
【００４５】
本実施形態例の携帯電子メール電話機を用いて、新規メッセージを入力する場合は、図１に示すように、使用者が片手で装置本体１００を保持し、先ずフリッパ２を開ける。そして、装置本体１００を保持した片手の指でジョグダイヤル１ａ，１ｂを所定の方向に回転させて、カーソルを文字等が表示されているメッセージエリアまで移動しクリックすれば、図１に示す漢字変換モードになる。この漢字変換モードになると、２つのジョグダイヤル１ａ，１ｂは、それぞれ、Ｘ，Ｙ方向の検索ダイヤルとなり、装置本体１００を保持した片手の指でジョグダイヤル１ａ，１ｂを所定の方向に回転させてかなを指定することができる。
【００４６】
すなわち、図８においてジョグダイヤル１ａ，１ｂのロータリエンコーダ８が回転されると、その回転量に対応して出力パルスが制御部６に供給され、この出力パルスに応じて、前記表示部３に固定メモリ７ａ上のかな文字を次々と表示し、ジョグダイヤル１ａをクリックをすると、スライドスイッチ９からオン信号が現れ、この出力が制御部６に供給され、前記座標上にあるかな文字を入力バッファに格納し、表示部３内のカーソルを右に移動させる。このようにジョグダイヤル１ａ，１ｂを回転させ、ジョグダイヤル１ａをクリックすることを繰り返し、読みとしてのかな文字列を入力する。読みとしてのかな文字列が入力されたら、ジョグダイヤル１ｂをクリックをすると、漢字変換モードとなる。漢字変換モードでは、ジョグダイヤル１ｂをクリックをする毎に入力バッファ中のかな文字を検索キーとして、前記プログラムメモリに格納されているソフトウェアに従って、前記漢字辞書７ｂに格納されている漢字等を検索し、表示部３に変換候補の漢字等を次々と表示する。所望の漢字等が表示されたらジョグダイヤル１ａをクリックすることにより、当該漢字等を決定する。なお、この実施例では、読みとしての文字の入力をジョグダイヤル１ｂのクリックによって行ったが、ジョグダイヤル１ａのクリックによって行ってもよい。また、漢字変換をジョグダイヤル１ｂのクリックによって行ったが、ジョグダイヤル１ａのクリックによって行ってもよく、また、ジョグダイヤル１ａ，１ｂのいずれか一方、または、双方の回転によって行ってもよい。
【００４７】
次に、図１１（ａ）〜（ｆ）を用いて新規メッセージを書き込む時の操作例を具体的に説明する。
【００４８】
図１１（ａ）〜（ｆ）は、「携帯」という文字を入力する際のプロセスを示すものである。図１１（ａ）に示すように、「携帯」という文字を入力する場合には、そのかな文字は「けいたい」であるから、まず、ジョグダイヤル１ａ，１ｂを回転させて、「け」というかな文字を選択する。「け」というかな文字が選択されたら、ジョグダイヤル１ｂをクリックすると、「け」というかな文字が確定し、カーソルが次のカラムに移動する。以下、同様にジョグダイヤル１ａ，１ｂを回転させて、「い」というかな文字を選択し、「い」というかな文字が選択されたら、ジョグダイヤル１ｂをクリックする。このように、ジョグダイヤル１ａ，１ｂを回転させて、かな文字を選択し、ジョグダイヤル１ｂをクリックするという動作を繰り返すことにより、図１１（ｂ）が示すように、かな文字列「けいたい」が入力される。かな文字列「けいたい」が入力されたら、図１１（ｃ）に示すように、ジョグダイヤル１ｂをダブルクリックする。ジョグダイヤル１ｂがダブルクリックされると、漢字変換モードとなる。漢字変換モードでは、ジョグダイヤル１ｂをクリックすると、図１１（ｃ）〜（ｅ）が示すように、入力された文字列に対応する変換候補、すなわち「形態」、「携帯」が次々に表示される。なお、辞書が学習機能を持っている場合には、この変換候補の順番は、使用頻度に応じて更新される。所望の「携帯」となったら、図１１（ｅ）が示すように、ジョグダイヤル１ａをクリックすと、所望の変換文字列「携帯」が入力される。
【００４９】
次に、呼制御の状態遷移を説明する。
【００５０】
本実施形態例の携帯電子メール電話機では、例えば図１２に示すように、「同時待ち受けモード」から、パケット通信呼び出しにより「パケット通信モード」へ遷移する。一方、「同時待ち受けモード」から音声発着信により「音声／非電話モード」に遷移し、音声通話や終話を行う。また、「パケット通信モード」又は「パケット待ち受けモード」中に音声呼び出しが有った場合は「音声／非電話モード」に遷移し、音声通話や終話を行う。
【００５１】
また、フリッパ２を開くことで、横長の大型液晶画面（表示部３）が現れ、挿入されているフラッシュメモリ４中のアプリケーションプログラムがスタートし、初期設定したインターネットプロバイダに自動架電、自動ログインして、新規メールがあると「お知らせ」音が鳴り、図２に示す画面になる。
【００５２】
また、フリッパ２を開くことで、インターネット電子メールのアプリケーションが起動し、次に、「メールのチェック」（図示せず）をポインターで示し、ジョグダイヤル１ａをクリックすることにより、契約プロバイダーに自動発信、ＩＤ確認、パスワード確認を行い、新しいメールが到着していれば、直ちに送達され、図２に示す画面になる。
【００５３】
また、常にプロバイダーと接続し、常にデータ待ち受け状態を保持し、新しいメールが到着したら、直ちにスピーカより、メール到着案内を流すようにしてもよい。なお、本実施形態例の携帯電子メール電話機は、パケット通信モード以外にも高速データ通信モード（例えば、９６００ｂｐｓの回線速度）でも使用できるが、この場合は、常時プロバイダとつなぎっぱなしというわけにはいかないので、フリッパ２を閉めたときに回線を切ることにしてもよい。
【００５４】
また、図１３が示すように、同時待ち受けモード時に、メール到着をプロバイダから報知（Ｓ１）してもらい、フリッパ２を開けて（Ｓ２）、パケット通信モード又は非電話モードへ遷移し、プロバイダにダイヤルアップをし（Ｓ３）、受信メールを取りに行く（Ｓ４）ようにしてもよい。
【００５５】
また、図１３が示すように、メール到着がプロバイダから報知された場合（Ｓ５）、報知されると同時に又は報知の後に、フリッパ２を開けなくても、自動ダイヤルアップし（Ｓ６）、プロバイダのサーバと接続し、メールを読み込み（Ｓ７）、完了と同時にダイヤルフック（パケット通信切断）し（Ｓ８）、フリッパ２を閉じた窓２ａにメール着信表示をする（Ｓ９）ようにしてもよい。
【００５６】
また、図１３が示すように、手動で電子メールの送信をする場合は、フリッパ２を開け（Ｓ１０）、プロバイダーにダイヤルアップ（Ｓ１１）し、電子メールを書き（Ｓ１２）、電子メールを送信する（Ｓ１５）ようにしてもよい。また、フリッパ２を開け（Ｓ１０）、電子メールを書き（Ｓ１３）、プロバイダーにダイヤルアップ（Ｓ１４）し、電子メールを送信する（Ｓ１５）ようにしてもよい。
【００５７】
なお、本実施形態例の携帯電子メール電話機は、装置本体１００にフリッパ２を設け、このフリッパ２にテンキーを設けたが、フリッパ２を設けず、表示部３の液晶大画面に直接テンキーを表示するように構成してもよい。この場合は、装置本体の軽量化、および、フリッパ２の開閉動作が無くなるので迅速に音声モードと非電話モード又はパケットモードの移行を行える。
【００５８】
このように、本実施形態例の携帯電子メール電話機によれば、携帯電話機能と携帯情報端末機能を併用して使用できる２つのジョグダイヤル１ａ，１ｂを備えたので、フルキーパッド等は不要であり、２つのジョグダイヤル１ａ，１ｂのみで、文字入力と漢字変換を行い同時にマウスとしての機能を提供することができる。
【００５９】
【発明の効果】
以上述べたように本発明の携帯電子メール電話機によれば、装置本体に電子メールを送受信する機能を備え、音声／非電話モード、パケット通信モード、前記音声／非電話モード及び前記パケット通信モードの両方に遷移自在である同時待ち受けモードの３つのモードを有する携帯電子メール電話機であって、カーソルを発生するカーソル発生手段と、当該カーソルが表示される表示手段と、前記表示手段内のカーソルを操作でき、使用者が装置本体を保持した際に、指で操作可能な領域に配置された少なくとも１つのカーソル操作手段と、前記カーソル操作手段の操作に基づいて前記表示手段内のカーソルを移動する制御手段と、前記装置本体に開閉自在に接続されたフタ体であって、このフタ体の開位置では、前記表示手段の全部を露出し、前記フタ体の閉位置では前記表示手段の一部を表示しうる窓を有することを特徴とするフタ部と、前記フタ体が閉じているときは前記音声モード画面並びに同時待ち受けモード画面が前記窓から視認できるよう前記表示手段を制御し、前記フタ体の開操作に応じて電子メール機能の起動、並びに、前記パケット通信モード又は前記音声／非電話モードの非電話モードへの遷移および各遷移に対応する前記表示手段全体の表示画面を制御する手段と、を具備するので、カーソル操作手段は片手で操作でき、歩行中や車内のような携帯電子メール電話機の操作が困難な状況においても、特に非電話モードやパケット通信モード時の電子メールをやりとりする際、表示手段中のカーソルを自在に操作できるという効果を奏する。
【００６０】
また、本発明の請求項３に記載の携帯電子メール電話機によれば、上述した効果に加えて、目的の場所へカーソルを移動した後も、カーソル操作手段から手を離す事なく、そのまま操作するだけで、目的のカーソル上の情報を確定できるという効果を奏する。
【００６１】
また、装置本体に電子メールを送受信する機能を備え、音声／非電話モード、パケット通信モード、パケット待ち受けモード、前記音声／非電話モード及び前記パケット通信モードの両方に遷移自在である同時待ち受けモードの４つのモードを有する携帯電子メール電話機であって、少なくとも１つの選択操作手段と、選択に供せられる情報を表示するための表示手段と、前記選択操作手段を操作することにより前記選択に供せられる情報を前記表示手段に表示させる制御手段と、前記表示手段に表示された情報から所望の情報を選択的に入力するための選択情報入力手段と、前記装置本体に開閉自在に接続されたフタ体であって、このフタ体の開位置では、前記表示手段の全部を露出し、前記フタ体の閉位置では前記表示手段の一部を表示しうる窓を有することを特徴とするフタ部と、前記フタ体が閉じているときは前記音声モード画面並びに同時待ち受けモード画面が前記窓から視認できるよう前記表示手段を制御し、前記フタ体の開操作に応じて電子メール機能の起動、並びに、前記パケット通信モード又は前記音声／非電話モードの非電話モードへの遷移および各遷移に対応する前記表示手段全体の表示画面を制御する手段と、を具備するので、選択操作手段は片手で操作でき、歩行中や車内のような携帯電子メール電話機の操作が困難な状況においても、非電話モードやパケット通信モードの時の電子メールをやりとりする際、選択操作手段から手を離す事なく目的の情報を素早く選択でき、簡単に情報の入力をすることができるという効果を奏する。
【図面の簡単な説明】
【図１】非電話モード又はパケット通信モードであり、新規メッセージ書き込み時の本実施形態例の携帯電子メール電話機の外観図である。
【図２】非電話モード又はパケット通信モードであり、新規メール受信時の本実施形態例の携帯電子メール電話機の外観図である。
【図３】音声モード時の本実施形態例の携帯電子メール電話機の外観図である。
【図４】ジョグダイヤルの概略機構を示す平面図である。
【図５】ロータリエンコーダの構成を示す平面図である。
【図６】（ａ），（ｂ）は、ロータリエンコーダからの出力波形を示す信号波形図である。
【図７】（ａ）は固定メモリ上に「かな文字」が配列されている概念図である。（ｂ）は表示部（表示手段）においてカーソルを移動させる概念図である。
【図８】文字入力およびカーソル移動を制御する回路ブロック図である。
【図９】本実施形態例の携帯電子メール電話機の概略回路ブロック図である。
【図１０】本実施形態例の携帯電子メール電話機の概略機能ブロック図である。
【図１１】（ａ）〜（ｆ）は、本実施形態例の携帯電子メール電話機の文字入力の過程を示す図である。
【図１２】本実施形態例の携帯電子メール電話機の状態遷移図である。
【図１３】本実施形態例の携帯電子メール電話機の手動又は自動による電子メール送受信の様子を示すフローである。
【図１４】（ａ），（ｂ）は、従来の携帯電話と携帯情報端末との一体型を示す図である。
【符号の説明】
１ａ…第１のジョグダイヤル（第１のカーソル操作装置および第１の選択操作装置）、１ｂ…第２のジョグダイヤル（第２のカーソル操作装置および第２の選択操作装置）、３…表示部（表示手段）、１００…装置本体
【図１】
0003674212.tif 000002
【図２】
0003674212.tif 000003
【図３】
0003674212.tif 000004
【図４】
0003674212.tif 000005
【図５】
0003674212.tif 000006
【図６】
0003674212.tif 000007
【図７】
0003674212.tif 000008
【図８】
0003674212.tif 000009
【図９】
0003674212.tif 000010
【図１０】
0003674212.tif 000011
【図１１】
0003674212.tif 000012
【図１２】
0003674212.tif 000013
【図１３】
0003674212.tif 000014
【図１４】
0003674212.tif 000015